(57)【要約】球体形状を有する本体（１３）と、本体（１３）内に設けられ、空気を吸い込む吸込口（１５）と吸込口（１５）から吸い込まれた空気を吹き出す吹出口（１９）とを備えた第一風路と、吸込口（１５）から吹出口（１９）へと空気を導く高圧空気発生部（１８）とを設ける。また、本体（１３）内に設けられ、誘引空気を吸い込む複数の空気吸入部（２４）と空気吸入部（２４）から吸い込まれた空気を吹き出す誘引空気吹出部（２６）とを備えた第二風路とを設ける。さらに、吹出口（１９）から吹き出された空気に誘引させて空気吸入部（２４）から誘引空気吹出部（２６）へと空気を導く誘引構造とを備え、吸込口（１５）を、第二風路内に設ける。
2015040837.tif 000002
【特許請求の範囲】
【請求項１】
球体形状を有する本体と、
前記本体内に設けられ、空気を吸い込む吸込口と前記吸込口から吸い込まれた空気を吹き出す吹出口とを備えた第一風路と、
前記吸込口から前記吹出口へと空気を導く高圧空気発生部と、
前記本体内に設けられ、誘引空気を吸い込む複数の空気吸入部と前記空気吸入部から吸い込まれた空気を吹き出す誘引空気吹出部とを備えた第二風路と、
前記吹出口から吹き出された空気に誘引させて前記空気吸入部から前記誘引空気吹出部へと空気を導く誘引構造とを備え、
前記吸込口を、前記第二風路内に設けた送風装置。
【請求項２】
球体形状を有する本体と、
前記本体に設けられ、空気を吸い込む吸込口と前記吸込口から吸い込まれた空気を吹き出す吹出口とを備えた第一風路と、
前記吸込口から前記吹出口へと空気を導く高圧空気発生部と、
前記本体内に設けられ、誘引空気を吸い込む複数の空気吸入部と前記空気吸入部から吸い込まれた空気を吹き出す誘引空気吹出部とを備えた第二風路と、
前記吹出口から吹き出された空気に誘引させて前記空気吸入部から前記誘引空気吹出部へと空気を導く誘引構造とを備え、
前記吸込口を、前記本体の中心部を基準として前記誘引空気吹出部よりも遠方に設け、
前記誘引空気吹出部から排出された誘引空気の一部が前記吸込口から吸い込まれ、前記第一風路を介して前記吹出口から吹き出される送風装置。
【請求項３】
前記第二風路内に、複数の前記空気吸入部から吸い込まれた空気を混合する混合部を備えた請求項１または２に記載の送風装置。
【請求項４】
前記高圧空気発生部は、
羽根車と前記羽根車を駆動するためのモータとを備え、
前記羽根車が前記第一風路内で駆動することにより、前記吸込口から前記吹出口へと空気を導く請求項１または２に記載の送風装置。
【請求項５】
前記誘引構造は、
前記誘引空気吹出部の外周に、前記高圧空気発生部の駆動により空気を吹き出す前記吹出口を設けたものである請求項１または２に記載の送風装置。
【請求項６】
前記空気吸入部を、
前記誘引空気吹出部の吹出し方向と平行かつ前記本体の中心を通る中心軸から等距離の位置となる前記本体の表面に、複数備えた請求項１または２に記載の送風装置。
【請求項７】
前記高圧空気発生部を駆動させるための電力を供給するバッテリーを格納するバッテリー格納部を前記本体の内部に設けた請求項１または２に記載の送風装置。
【請求項８】
前記本体は、
前記吹出口を備えた半球体形状を有する第一の半球体と、前記第一の半球体と対となる第二の半球体とが円形の切断面で接合されて構成され、
前記バッテリー格納部が、
前記第二の半球体の内部に備えられた請求項７に記載の送風装置。
【請求項９】
前記第二の半球体に、
前記吹出口を構成する平面と対向する底面を設けた請求項８に記載の送風装置。
【請求項１０】
前記底面に、前記バッテリー格納部に格納された充電可能バッテリーに電力を供給できる給電部を備えた請求項９に記載の送風装置。
【発明の詳細な説明】
【技術分野】
【０００１】
本発明は送風装置に関し、詳しくは、居室内の天井、壁、又は床面等に設置して、直接気流によって体感温度を低下させたり、室内の空気を循環させたりする扇風機、又は天井扇などの送風装置に関するものである。
【背景技術】
【０００２】
従来、この種の送風装置として、羽根車とモータを台座となる基部に内包して、基部上部に備えられた円環形状の送風部から床面と水平方向に空気を吹出し、空気の循環及び空気の流れを生じさせる家庭用送風装置が知られている（例えば、特許文献１参照）。【０００３】
以下、その送風装置について図８および図９を参照しながら説明する。【０００４】
図８は、送風機組立体１００の正面図であり、図９は、図８の９−９断面図である。【０００５】
送風機組立体１００は、中央開口部１０２を有する環状ノズル１０１を上部に設けている。環状ノズル１０１の下には環状ノズル１０１を一定の高さで支える外側ケーシング１１８を設けている。環状ノズル１０１を通る空気流を生じさせるモータ１２２は、モータハウジング１２６と共に、外側ケーシング１１８の上部に位置する基部１１６の内部に配置されている。さらに、インペラ（羽根車）１３０が、モータ１２２から下方に延びる回転シャフト１２２ａに連結され、ディフューザ１３２が、羽根車１３０の下流側に位置決めされている。モータ１２２は、電気接続部及び電源に接続されている。また、ユーザは外側ケーシング１１８に配置した複数個の選択ボタン１２０により、送風機組立体１００を操作することができる。【０００６】
そして、送風機組立体１００は以下のように動作する。【０００７】
ユーザが複数個の選択ボタン１２０の中から適当に選択してモータ１２２が駆動される。モータ１２２が駆動されると、空気が外側ケーシング１１８に形成した空気入口１２４を介して送風機組立体１００内に吸い込まれる。空気は、外側ケーシング１１８の内部を通り、羽根車１３０のインペラ入口１３４まで流れる。ディフューザ１３２のディフューザ出口１３６及び羽根車１３０の排気部を出た空気流は、環状ノズル１０１の内部通路１１０を通って互いに逆の方向に進む２つの空気流に分けられる。【０００８】
空気流は、導入口１１２に入る際に絞られ、そして出口１１４で更に絞られる。この絞りにより、システム中に圧力が生じる。【０００９】
このように作られた空気流は、絞りにより生じる圧力に打ち勝ち、一次空気流として出口１１４を通って送風機組立体１００の外に出る。一次空気流は、ガイド部分１４８の配置により、ユーザに向かって集中し又は集束して向けられる。二次空気流は、外部環境、特に出口１１４の周りの領域及び環状ノズル１０１の外縁部周りからの空気の同伴によって生じる。この二次空気流は、中央開口部１０２を通り、ここで、一次空気流と混ざり合って送風機組立体１００から前方に放出される全空気流が生じる。
【先行技術文献】
【特許文献】
【００１０】
【特許文献１】特開２０１０−０７７９６９号公報
【発明の概要】
【００１１】
このような従来の送風装置では、中央開口部１０２の前後は、二次空気流を通過させるために開放されている必要がある。このため、一次空気流を発生させるための基部を送風部から離れた場所に設ける必要がある。しかし、離れた場所に設けられた基部はその構造上、積極的に二次空気流に働きかけることができず、即ち送風効率を高められないという課題があった。
【００１２】
本発明は、球体形状を有する本体と、本体内に設けられ、空気を吸い込む吸込口と吸込口から吸い込まれた空気を吹き出す吹出口とを備えた第一風路と、吸込口から吹出口へと空気を導く高圧空気発生部とを備える。また、本体内に設けられ、誘引空気を吸い込む複数の誘引吸入口と誘引吸入口から吸い込まれた空気を吹き出す誘引空気吹出口とを備えた第二風路と、吹出口から吹き出された空気に誘引させて誘引吸入口から誘引空気吹出口へと空気を導く誘引構造とを備える。さらに、吸込口を第二風路内に設ける。
【００１３】
本発明は、上記構成により構造上の課題を解決することで誘引空気量を増加させ、即ち風速の減衰が少なく遠方まで到達する気流を効率よく生み出す送風装置を提供する。
【図面の簡単な説明】
【００１４】
【図１】図１は、本発明の第１の実施の形態に係る送風装置の斜視図である。
【図２】図２は、本発明の第１の実施の形態に係る送風装置の断面図である。
【図３】図３は、本発明の第１の実施の形態に係る送風装置の断面図である。
【図４】図４は、本発明の第２の実施の形態に係る送風装置の斜視図である。
【図５】図５は、本発明の第２の実施の形態に係る送風装置の断面図である。
【図６】図６は、本発明の第３の実施の形態に係る送風装置の断面図である。
【図７】図７は、本発明の第３の実施の形態に係る送風装置の断面図である。
【図８】図８は、従来の送風装置の正面図である。
【図９】図９は、図８の９−９断面図である。
【発明を実施するための形態】
【００１５】
以下、添付図面を参照して、本発明の実施の形態につき説明し、本発明の理解に供する。なお、以下の実施の形態は、本発明を具体化した一例であって、本発明の技術的範囲を限定する性格のものではない。また、全図面を通して、同一の構成要素については同一の符号を付す。さらに、各図面において、本発明に直接には関係しない各部の詳細については説明を省略している。
【００１６】
（第１の実施の形態）
最初に、図１を参照しながら送風装置の概略構成について説明する。なお図１は、本発明の第１の実施の形態に係る送風装置の斜視図である。図１に示すように送風装置１１は、外郭形状が球形状の本体１３を備える。本体１３は、中空の２つの半球体（第一の半球体１３ａと第二の半球体１３ｂ）が、円形の切断面２９を対向させて接合されることにより構成されている。また、一方の半球体（第一の半球体１３ａ）には、誘引吸込口である６個の空気吸入部２４と、誘引空気吹出口である誘引空気吹出部２６と、環状の吹出口１９とが備えられている。なお、環状の吹出口１９の中心と、球形状の本体１３の中心とを通る軸を送風装置１１の中心軸３０とする。換言すると、中心軸３０は、吹出口１９からの気流の吹出し方向に平行かつ本体１３の中心を通る軸である。
【００１７】
空気吸入部２４は、第一の半球体１３ａの表面（外側面）であって、中心軸３０から等距離の位置に備えられている。
【００１８】
空気吸入部２４と誘引空気吹出部２６との間には、混合部６１が設けられている。複数の空気吸入部２４から吸入された空気は、混合部６１にて混合され、誘引空気吹出部２６より吹き出される。本体１３の内部において、空気吸入部２４、混合部６１、誘引空気吹出部２６が第二風路により連通される。そして、空気吸入部２４に吸入されて混合部６１を介して誘引空気吹出部２６から吹出す空気、即ち第二風路を通過する空気を空気Ｙとし、実線矢印で示す。
【００１９】
本体１３の内部には、案内面１４が設けられており、この案内面１４の中心近傍には、吸込口１５が備えられている。なお、第二風路、案内面１４、吸込口１５の詳細については後述する。
【００２０】
続いて、図２、図３を参照しながら送風装置１１の内部構造について詳しく説明する。なお図２は、図１に示した送風装置１１の中心軸３０を含む、切断面２９と垂直な面による断面図（第一断面図）である。また図３は、図２に示した送風装置１１の切断面２９に平行な軸３２を含む、切断面２９と平行な面で切断した際の、吹出口１９側から見た断面図（第二断面図）である。
【００２１】
図２に示すように送風装置１１は、本体１３の内部に風路空間１２を形成している。風路空間１２は、誘引空気を吸入する空気吸入部２４と誘引空気を吹出す誘引空気吹出部２６とを連通する第二風路を挟んで、誘引空気吹出部２６と対向する位置に設けられている。また、第二風路と風路空間１２とは、本体１３の一つの面である案内面１４を隔てて位置している。
【００２２】
風路空間１２は、吸込口１５に連通させて設けた羽根車１６と羽根車１６を駆動するためのモータ１７を具備する高圧空気発生部１８を備える。ただし、モータ１７は、本体１３内であって第二の半球体１３ｂ側に、風路空間１２から突出して配置される。
【００２３】
モータ１７は電力で駆動し、即ち電圧等を制御する制御基盤を備えた電源供給部（図示なし）から電力が供給され、羽根車１６を駆動する。なお電源供給部には、例えば本体１３の外部にある家庭用コンセントなどから電源が引き込まれる。
【００２４】
高圧空気発生部１８が、吸込口１５から吸い込んだ空気Ｘ（破線矢印で示す）を、風路空間１２を介して環状の吹出口１９から吹き出すことで、送風装置１１が空気を誘引するが、詳細は後述する。
【００２５】
案内面１４は、図３に示すように、風路空間１２に空気を取り入れる吸込口１５を中心軸３０付近に備え、中心軸３０より円周方向に略矩形をした６つの底部３１を放射状に伸ばした形状を有する。また、案内面１４上であって中心軸３０付近は、周囲の面よりも緩やかに盛り上がった山型形状を有している。中心軸３０付近を頂点とする山型形状の側面には、吸込口１５が備えられている。
【００２６】
吸込口１５は、楕円形をした開口部を複数備えている。開口部は、その楕円における長辺を中心軸３０から放射状に伸びる線と平行になるよう配置されている。
【００２７】
また、案内面１４は、外周端部において、この案内面１４の表面から誘引空気吹出部２６方向に向けて離れる方向に、外壁２０と内壁２１の二重壁からなる周回壁２２が延設されている。つまり、本体１３の外郭の案内面１４より吹出口１９側、即ち吹出口１９を備える第一の半球体１３ａは、外周が外壁２０で構成されている。外壁２０と内壁２１とに挟まれた空間は、風路空間１２と連通する吹出通風路２３を構成する。
【００２８】
また、複数（本実施形態の場合は６個）の空気吸入部２４は、周回壁２２と交差して吸込口１５と連通する。つまり、空気吸入部２４と誘引空気吹出部２６を連通する第二風路は、周回壁２２を本体の外部方向から内部方向に貫通している。
【００２９】
吹出口１９は、周回壁２２において案内面１４の表面から離れる方向に向けて開口している。また、吹出口１９から吹出す空気Ｘは、空気吸入部２４を通過した空気（空気Ｘ＋空気Ｙ）の一部（空気Ｘ）であって、吸込口１５から吸入され、風路空間１２にて羽根車１６で昇圧され、吹出通風路２３を通ったものである。なお、吸込口１５から始まり、風路空間１２、吹出通風路２３を介して吹出口１９まで至る風路を第一風路とする。つまり第一風路は、破線矢印で示す空気Ｘが通過する風路である。
【００３０】
また、吹出口１９から吹出す空気に誘引させる空気Ｙは、空気吸入部２４を通過した空気（空気Ｘ＋空気Ｙ）の一部である。その一部とは、空気吸入部２４を通過して、吸込口１５から吸込まれずに誘引空気吹出部２６から吹出した空気を指す。この空気Ｙが通過する風路が上述した第二風路である。
【００３１】
つまり吹出口１９から吹出す空気Ｘに誘引させる空気Ｙは、空気吸入部２４を通過した空気Ｘ、空気Ｙのうちの一部（空気Ｙ）が直接供給される。そしてこれにより誘引による送風を行うものである。ここで、第二風路は、周回壁２２を貫通する貫通壁２８によって、第一風路と空気流の交わりが無く交差するように備えられている。また、誘引空気吹出部２６は、その縁部を、内壁２１を周回させることにより構成している。つまり、誘引空気吹出部２６の外周に、内壁２１を介して吹出口１９が配置されている。
【００３２】
吹出口１９、羽根車１６、モータ１７、空気吸入部２４、誘引空気吹出部２６はそれぞれ中心軸３０に軸対称となるように設けられ、即ち本体１３の重心は中心軸３０上に存在する。
【００３３】
上記構成にて、高圧空気発生部１８を動作させると、空気吸入部２４から空気Ｘが吸い込まれる。吸い込まれた空気の一部は、吸込口１５から風路空間１２内で昇圧され、吹出通風路２３を介して吹出口１９から吹き出される。つまり、第一風路を通って吹出口１９から吹き出されるのである。
【００３４】
吹出口１９から空気が吹き出されると、この空気に誘引されて空気Ｙ（誘引空気）が空気吸入部２４から吸い込まれる。ここで、一部は吸込口１５から空気Ｘとして吸い込まれるが、他の空気Ｙが誘引空気吹出部２６から吹出される。空気Ｘと空気Ｙとは吹出口１９近傍で混合され、大風量の気流となって遠方に届けられる。
【００３５】
つまり、誘引空気吹出部２６の外周に、高圧空気発生部の駆動により空気を吹き出す吹出口１９を有する構成が誘引構造である。
【００３６】
そして、本実施の形態では、吸込口１５を第二風路内に設けている。このような構成によれば、高圧空気発生部１８により吸込口１５から吸込まれる空気は、その前段で空気吸入部２４を通過する。言い換えると、空気吸入部２４から吸込まれる空気は、単なる誘引力のみでなく、高圧空気発生部１８の引き込みにより力強い気流の流れとなる。この力強い気流により、空気吸入部２４に流れ込む空気の空気抵抗が減少する。これにより誘引空気量が増加するため、送風装置１１はより多くの吹き出し気流を効率よく生み出すことができる。吹出された空気は中心部にコア領域が形成されるため直進性に優れ、風速の減衰が少なく遠方まで到達する気流を効率よく生み出すことができる。
【００３７】
また、混合部６１において複数の空気吸入部２４から吸い込んだ空気を一旦混合するため、誘引空気吹出部２６から吹出される空気の密度のばらつきが減少し、滑らかな送風とすることができる。
【００３８】
また、羽根車１６は第一風路の中にあり外部から直接接触できないため、送風装置を利用するユーザの接触による不安感をなくすことができる。
【００３９】
また、高圧空気発生部１８を本体１３内部に収めることができるため、コンパクトな構成とすることができる。
【００４０】
また、空気吸入部２４が複数あるため、一つの空気吸入部２４が塞がれるような使用状態でも、他の空気吸入部２４から空気を誘引できるため性能を発揮することができる。
【００４１】
また、一部の空気吸入部２４を塞ぐことで、塞がれた側の空気吸入部２４からの風量が少なくなり、塞がれていない側に片寄った気流が空気吸入部２４から吹出される。このため、塞ぐ空気吸入部２４を変えることで、それぞれ異なった揺らぎ、風向の風を生み出すことができる。
【００４２】
なお、空気吸入部２４の配置位置は、吹出口１９より羽根車１６に近い位置に配した方が誘引空気を混合する空間である混合部６１を大きくでき、誘引された空気を効率よく混合することができる。
【００４３】
（第２の実施の形態）
本発明の第２の実施の形態では、本発明の第１の実施の形態と異なる点のみを説明する。なお図４は、本実施の形態に係る送風装置の斜視図である。また図５は、本実施の形態に係る送風装置の断面図である。
【００４４】
図４に示すように送風装置４１の案内面４４は、中央付近に風路空間に空気を取り入れる吸込口４５が備えられている。ただし案内面４４の吸込口４５を備える中央付近は、周囲の面よりも急激に盛り上がった突起形状を有している。そして、この突起形状の先端部は、環状の吹出口１９を構成する平面、及び誘引空気吹出部２６を構成する平面に対して、球形状の本体１３の中心より離れる方向に突出している。つまり、吸込口４５は吹出口１９、及び誘引空気吹出部２６よりも外側に突出して設けられている。言い換えると、この構成は吸込口４５を本体１３の中心部を基準として誘引空気吹出部２６よりも遠方に設けるということである。
【００４５】
また、第二風路の内部であって、吸込口４５の突起形状を有する部分の周囲には、誘引した空気を混合する混合部が設けられている。本実施の形態における混合部は、主に隣接する空気吸入部２４から吸い込まれた空気を混合する。
【００４６】
また、図５に示すように、案内面４４は、外周端部において、この案内面４４の表面から誘引空気吹出部２６方向に向けて離れる方向に、外壁２０と内壁２１の二重壁からなる周回壁２２が延設されている。つまり、本体１３の外郭の案内面４４より吹出口１９側、即ち吹出口１９を備える第一の半球体１３ａは、外周が外壁２０で構成されている。外壁２０と内壁２１とに挟まれた空間は、風路空間１２と連通する吹出通風路２３を構成する。
【００４７】
なお、吸込口４５は、楕円形をした開口部を複数備え、開口部は、その楕円における長辺を円形の中央から放射状に伸びる線と平行になるよう配置されている点は本発明の第１の実施の形態と同様である。
【００４８】
また、環状の吹出口１９の中心と、球形状の本体１３の中心とを通る軸を送風装置４１の中心軸３０とする。換言すると、中心軸３０は、吹出口１９からの気流の吹出し方向に平行かつ本体１３の中心を通る軸である。
【００４９】
続いて図５を参照しながら送風装置４１の動作について説明する。なお図５は、図４に示した送風装置４１の中心軸３０を含む、切断面２９と垂直な面による断面図である。
【００５０】
図５に示すように送風装置４１は、第一の半球体１３ａと第二の半球体１３ｂから構成される本体１３の内部に風路空間１２を形成している。風路空間１２は、誘引空気を吸入する空気吸入部２４と誘引空気吹出す誘引空気吹出部２６とを連通する第二風路を挟んで、誘引空気吹出部２６と対向する位置に設けられている。また、第二風路と風路空間１２とは、本体１３の一つの面である案内面４４を隔てて位置している。
【００５１】
風路空間１２は、吸込口４５に連通させて設けた羽根車１６と羽根車１６を駆動するためのモータ１７を具備する高圧空気発生部１８を備える。ただし、モータ１７は、本体１３内であって第二の半球体１３ｂ側に、風路空間１２から突出して配置される。
【００５２】
上記構成にて高圧空気発生部１８を動作させると、風路空間１２に連通する吸込口４５から空気が吸い込まれる。吸い込まれた空気は風路空間１２内で昇圧され、吹出通風路２３を介して吹出口１９から吹き出される。つまり、吸い込まれた空気は、吸込口４５から風路空間１２、吹出通風路２３を介して吹出口１９に至る第一風路を通って、吹出口１９から吹き出される。
【００５３】
吹出口１９から空気が吹き出されると、誘引空気吹出部２６付近の空気が、吹出口１９から吹き出された空気と同一方向に誘引される。この誘引により、第二風路で連通している空気吸入部２４から実線矢印で示す空気Ｐと破線矢印で示す空気Ｑが吸い込まれる。
【００５４】
そして、吸込口４５を本体１３の中心部を基準として誘引空気吹出部２６よりも遠方に設けていることにより、空気吸入部２４から吸い込まれた空気（空気Ｐ＋空気Ｑ）のうち一部（空気Ｑ）は、誘引空気吹出部２６から吹出された直後に吸込口４５から風路空間１２内に吸い込まれる。風路空間１２内に吸い込まれた空気Ｑは、上述したように、吸込口４５から風路空間１２、吹出通風路２３を介して吹出口１９に至る第一風路を通って、吹出口１９から吹き出される。
【００５５】
また空気吸入部２４から吸い込まれた空気（空気Ｐ＋空気Ｑ）のうち空気Ｐは、誘引空気吹出部２６から吹出された後、吹出口１９から吹き出された空気Ｐと混合され、大風量の気流となる。
【００５６】
なお、誘引空気吹出部２６の外周に、環状の吹出口１９が配置されているのは本発明の第１の実施の形態で説明したとおりである。つまり、誘引によって発生した気流の内部に吸込口４５が存在する。そして送風装置４１では、吸込口４５が突出し誘引空気吹出部２６よりも下流側に存在する。この構成において空気Ｑが吸込口４５から吸い込まれるため、誘引によって発生した気流の内側（中心軸側）の空間は、外側の空間よりも圧力が低くなる。これにより送風装置４１によって生み出される気流は、内側（中心軸３０方向）に集まるようになる。つまり、上記構成により、送風装置４１によって生み出される気流の拡散は抑制され、スポット風となる。結果として、送風装置４１は、誘引を利用した大風量の風を、強い気流として遠くまで送ることが可能になる。
【００５７】
（第３の実施の形態）
本発明の第３の実施の形態については、本発明の第１の実施の形態および第２の実施の形態と異なる点のみを説明する。なお図６は、本実施の形態に係る送風装置７１の中心軸３０を含む、切断面２９と垂直な面による断面図（第一断面図）である。また図７は、図６における切断面２９と平行な軸９１を含む、切断面２９と平行な面で切断した際の、吹出口７９側から見た断面図（第二断面図）である。
【００５８】
図６に示すように、送風装置７１の各風路（第一風路、第二風路）の構造は、本発明の第１の実施の形態における送風装置と同じであり、第一風路は吸込口１５から風路空間１２、吹出通風路２３を介して吹出口１９に至り、第二風路は空気吸入部２４と混合部６１と誘引空気吹出部２６とを連通する。本発明の第１の実施の形態における送風装置と異なる点は、本体１３を構成する第一の半球体７３ａと第二の半球体７３ｂのうち、吹出口１９を備えない第二の半球体７３ｂの内部空間９２に、バッテリー格納部９５を備えている点である。
【００５９】
バッテリー格納部９５は、図７に示すように、中心軸３０に回転軸を有するモータ１７の外周に設けられている。バッテリー格納部９５の内部には、円筒形のセル９４が複数個（図７では１２個）設けられており、それらが導電線９７により通電可能に接続されている。
【００６０】
セル９４は、中心軸３０を中心として周囲に均等間隔で配置されており、すなわち本体１３の重心は、中心軸３０に保たれている。またセル９４は、内部が空洞となっており、この空洞に羽根車１６とモータ１７を具備する高圧空気発生部１８を駆動させるための電力を供給するバッテリーが格納される。なお格納されるバッテリーは、充電不能（一次電池）、充電可能（二次電池）を問わない。
【００６１】
バッテリー格納部９５の周囲には、断面がドーナツ形状の制御基盤９６が設けられている。制御基盤９６は、バッテリー格納部９５と接続されており、バッテリー格納部９５に格納されたバッテリーからモータ１７への給電を制御する。制御基盤９６もセル９４と同様、中心軸３０を中心として周囲に重量配分が均等となるよう配置されており、すなわち本体７３の重心は、中心軸３０に保たれている。
【００６２】
第二の半球体７３ｂの内部空間９２であって、吹出口１９と対向する極の位置には、受電部９８が備えられている。受電部９８は制御基盤９６と通電可能に接続されている。
【００６３】
第二の半球体７３ｂの外周であって、吹出口１９を構成する平面と対向する位置には、底面９９が設けられている。底面９９は第二の半球体７３ｂの球面をカットした円形の平面を有しており、第二の半球体７３ｂを挟んで内部空間９２側には受電部９８が配置されている。つまり、底面９９に図示しない電力供給装置を配置することで、非接触電力伝送により受電部９８に電力を供給することができる。
【００６４】
受電部９８に電力が供給されると、制御基盤９６を介してモータ１７及び／又は各々のセル９４に電力が供給される。各々のセル９４に電力が供給されるのはバッテリーが充電可能な場合であり、その判断は制御基盤９６により行われる。
【００６５】
セル９４に電力が供給された場合、バッテリー格納部９５に格納された充電可能なバッテリーに充電される。また、電力供給装置が無い場合には、バッテリーから制御基盤９６を介してモータ１７に電力が供給される。
【００６６】
以上のように、本実施の形態においては、バッテリー格納部９５を備えている。このため、バッテリーを格納することで送風装置７１を自由に持ち運び可能になり、即ち可搬性に優れる。
【００６７】
また、吹出口７９を備えない第二の半球体７３ｂの内部空間９２にバッテリー格納部９５を備えている。このため、バッテリー格納部９５が、第一風路、第二風路を圧迫することが無く、即ち送風量を減少させることが無い。また、第一の半球体７３ａは大部分が壁面であるため重量が軽い。これに対して第二の半球体７３ｂ側はバッテリーやモータ１７が備えられるため重量が重くなる。そして、第二の半球体７３ｂの重心は、バッテリー格納部９５や制御基盤９６の配置を工夫することで中心軸３０に維持されている。さらに平面である底面９９が設けられている。これら構造により、略球体形状である本体７３を、台座を設けることなく配置した場合、必ず吹出口１９が上方向を向く。つまり、電力供給装置と受電部９８とはその平面同士が対向する位置関係となり、安定して効率よく電力供給装置から電力の供給を受けることができる。なお、必ず吹出口１９が上方向を向くために上記構成全てが必要ではなく、例えばバッテリー格納部９５が第二の半球体７３ｂ内に設けられるのみでもよい。
【００６８】
なお非接触電力伝送には、電磁誘導方式や電波方式など様々な種類があるが、本実施の形態における方式は限定されない。
【００６９】
以上、複数の実施の形態について説明を行ったが、これら複数の実施の形態における各構成要素は、矛盾しない範囲で組み合わせてもよい。例えば、図２や図５の送風装置に図６のバッテリー格納部９５、制御基盤９６、受電部９８、底面９９等を備える構成等がこの組み合わせに該当する。
【産業上の利用可能性】
【００７０】
本発明にかかる送風装置は、居室内の床、机上、天井や壁に設置され、直接気流による体感温度の減少や室内の空気の循環に使用される各種送風機器等として有用である。
【符号の説明】
【００７１】
１１，４１，７１  送風装置
１２  風路空間
１３，７３  本体
１３ａ，７３ａ  第一の半球体
１３ｂ，７３ｂ  第二の半球体
１４，４４  案内面
１５，４５  吸込口
１６，１３０  羽根車
１７  モータ
１８，  高圧空気発生部
１９，  吹出口
２０  外壁
２１  内壁
２２  周回壁
２３  吹出通風路
２４  空気吸入部
２６  誘引空気吹出部
２８  貫通壁
２９  切断面
３０  中心軸
６１  混合部
９２  内部空間
９４  セル
９５  バッテリー格納部
９６  制御基盤
９７  導電線
９８  受電部
９９  底面
１００  送風機組立体
１０１  環状ノズル
１０２  中央開口部
１１０  内部通路
１１２  導入口
１１４  出口
１１６  基部
１１８  外側ケーシング
１２０  選択ボタン
１２２  モータ
１２２ａ  回転シャフト
１２４  空気入口
１２６  モータハウジング
１３２  ディフューザ
１３４  インペラ入口
１３６  ディフューザ出口
１４８  ガイド部分
【図１】
2015040837.tif 000003
【図２】
2015040837.tif 000004
【図３】
2015040837.tif 000005
【図４】
2015040837.tif 000006
【図５】
2015040837.tif 000007
【図６】
2015040837.tif 000008
【図７】
2015040837.tif 000009
【図８】
2015040837.tif 000010
【図９】
2015040837.tif 000011
【国際調査報告】
2015040837.tif 000012
2015040837.tif 000013